(57)【要約】【課題】  横巾の異なる複数種類の窓枠取付け用壁部に対して、一種類の窓枠、一種類の化粧カバーでウォール・ツウ・ウォールとなるように取付ける。【解決手段】  ユニットバス１の窓枠取付け用壁部４に、当該ユニットバス１の窓枠取付け用壁部４の横巾よりもサイズの小さい別のユニットバス１の窓枠取付け用壁部４の横巾と略等しい横巾の窓枠３を取付ける。窓枠３の前面に化粧カバー５を取付ける。化粧カバー５のうち窓枠３の縦枠部６の前面に取付ける化粧カバー５を、縦枠部６の前面を覆う化粧カバー本体７と、化粧カバー本体７の外側部から外側方に突出する連出カバー部８とで構成する。化粧カバー本体７と連出カバー部８を別体として化粧カバー本体７の外側端部に設けた係合部９に連出カバー部８の内側端部に設けた被係合部１０を着脱自在に係合して連出カバー部８の外側端を対向壁部２に近接する。【選択図】        図１
2009203632.tif 000002
【特許請求の範囲】
【請求項１】
ユニットバスの一対の対向壁部の端部間に、窓枠を取付ける窓枠取付け用壁部を設け、当該窓枠取付け用壁部に、当該ユニットバスの窓枠取付け用壁部の横巾よりもサイズの小さい別のユニットバスの窓枠取付け用壁部の横巾と略等しい横巾の窓枠を取付け、当該窓枠の前面に化粧カバーを取付け、該化粧カバーのうち窓枠の縦枠部の前面に取付ける化粧カバーを、縦枠部の前面を覆う化粧カバー本体と、該化粧カバー本体の外側部から外側方に突出する連出カバー部とで構成し、上記化粧カバー本体と連出カバー部を別体として化粧カバー本体の外側端部に設けた係合部に連出カバー部の内側端部に設けた被係合部を着脱自在に係合して連出カバー部の外側端を対向壁部に近接して成ることを特徴とするユニットバスにおける窓枠への化粧カバーの取付け構造。
【請求項２】
ユニットバスの一対の対向壁部の端部間に、窓枠を取付ける窓枠取付け用壁部を設け、当該窓枠取付け用壁部に、当該ユニットバスの窓枠取付け用壁部の横巾よりもサイズの小さい別のユニットバスの窓枠取付け用壁部の横巾と略等しい横巾の窓枠を取付け、当該窓枠の前面に化粧カバーを取付け、該化粧カバーのうち窓枠の縦枠部の前面に取付ける化粧カバーを、縦枠部の前面を覆う化粧カバー本体と、該化粧カバー本体の外側部から外側方に突出する連出カバー部とで構成し、上記化粧カバー本体の外側端部と連出カバー部の内側端部とを切断可能部を介して一体に形成し、上記連出カバー部の外側端を対向壁部に近接して成ることを特徴とするユニットバスにおける窓枠への化粧カバーの取付け構造。
【発明の詳細な説明】
【技術分野】
【０００１】
本発明は、ユニットバスにおける窓枠への化粧カバーの取付け構造に関するものである。
【背景技術】
【０００２】
従来から、ユニットバスの一対の対向壁部の端部間に、窓枠を取付ける窓枠取付け用壁部を設け、この窓枠取付け用壁部の全横にわたるように窓枠を取付けるもの（つまり、窓枠をウォール・ツウ・ウォールとなるように取付けるもの）が知られている。このものは窓枠がウォール・ツウ・ウォールであるため、開放的で商品価値の高いユニットバスとすることができる。
【０００３】
ところが、ユニットバスには窓枠取付け用壁部の横巾の異なるものが複数種類ある。そこで窓枠取付け用壁部の横巾の短いものに対応した窓枠を、サイズが大きいユニットバスにおける横巾が長い窓枠取付け用壁部に取付けると、対向壁部と窓枠の縦枠部との間に窓枠取付け用壁部の壁面が露出して、窓枠がウォール・ツウ・ウォールの外観とならず、商品価値が低下する。
【０００４】
このため、従来にあっては、サイズの異なるユニットバス毎にそれぞれ窓枠取付け用壁部の横巾と同じ横巾の窓枠を用意しており、横巾の異なる複数種類の窓枠が必要であるため、製造、保管等に要するコストが高くなるという問題があった。
【特許文献１】特開平７−２６７５３号公報
【発明の開示】
【発明が解決しようとする課題】
【０００５】
本発明は上記の従来の問題点に鑑みて発明したものであって、横巾の異なる複数種類の窓枠取付け用壁部に対して、一種類の窓枠、一種類の化粧カバーでウォール・ツウ・ウォールとなるように取付けることができるユニットバスにおける窓枠への化粧カバーの取付け構造を提供することを課題とするものである。
【課題を解決するための手段】
【０００６】
上記課題を解決するために本発明に係るユニットバスにおける窓枠への化粧カバーの取付け構造は、ユニットバス１の一対の対向壁部２の端部間に、窓枠３を取付ける窓枠取付け用壁部４を設け、当該窓枠取付け用壁部４に、当該ユニットバス１の窓枠取付け用壁部４の横巾よりもサイズの小さい別のユニットバス１の窓枠取付け用壁部４の横巾と略等しい横巾の窓枠３を取付け、当該窓枠３の前面に化粧カバー５を取付け、該化粧カバー５のうち窓枠３の縦枠部６の前面に取付ける化粧カバー５を、縦枠部６の前面を覆う化粧カバー本体７と、該化粧カバー本体７の外側部から外側方に突出する連出カバー部８とで構成し、上記化粧カバー本体７と連出カバー部８を別体として化粧カバー本体７の外側端部に設けた係合部９に連出カバー部８の内側端部に設けた被係合部１０を着脱自在に係合して連出カバー部８の外側端を対向壁部２に近接して成ることを特徴とするものである。
【０００７】
このように、サイズの小さい別のユニットバス１の窓枠取付け用壁部４にウォール・ツウ・ウォールとなるように取付けることができる窓枠３を、サイズの大きいユニットバス１の窓枠取付け用壁部４に取付けると共に、縦枠部６に化粧カバー本体７と連出カバー部８とよりなる化粧カバー５を取付けることで、窓枠３と対向壁部２との間に窓枠取付け用壁部４の表面が露出することなくウォール・ツウ・ウォールとなるように取付けることができる。そして、化粧カバー本体７と連出カバー部８とは別体で、化粧カバー本体７の外側端部に設けた係合部９に連出カバー部８の内側端部に設けた被係合部１０を着脱自在に係合するものであるから、連結カバー部８を係合しない状態で縦枠部６の前面に化粧カバー本体７を取付けることで、サイズの小さい別のユニットバス１の窓枠取付け用壁部４に上記窓枠３をウォール・ツウ・ウォールとなるように取付けることができる。
【０００８】
また、ユニットバス１の一対の対向壁部２の端部間に、窓枠３を取付ける窓枠取付け用壁部４を設け、当該窓枠取付け用壁部４に、当該ユニットバス１の窓枠取付け用壁部４の横巾よりもサイズの小さい別のユニットバス１の窓枠取付け用壁部４の横巾と略等しい横巾の窓枠３を取付け、当該窓枠３の前面に化粧カバー５を取付け、該化粧カバー５のうち窓枠３の縦枠部６の前面に取付ける化粧カバー５を、縦枠部６の前面を覆う化粧カバー本体７と、該化粧カバー本体７の外側部から外側方に突出する連出カバー部８とで構成し、上記化粧カバー本体７の外側端部と連出カバー部８の内側端部とを切断可能部１１を介して一体に形成し、上記連出カバー部８の外側端を対向壁部２に近接して成ることを特徴とするものであってもよい。
【０００９】
このように、サイズの小さい別のユニットバス１の窓枠取付け用壁部４にウォール・ツウ・ウォールとなるように取付けることができる窓枠３を、サイズの大きいユニットバス１の窓枠取付け用壁部４に取付けると共に、縦枠部６に化粧カバー本体７と連出カバー部８とよりなる化粧カバー５を取付けることで、窓枠３と対向壁部２との間に窓枠取付け用壁部４の表面が露出することなくウォール・ツウ・ウォールとなるように取付けることができる。そして、化粧カバー本体７の外側端部と連出カバー部８の内側端部とを切断可能部１１を介して一体に形成してあるので、切断可能部１１で切断して縦枠部６の前面に化粧カバー本体７を取付けることで、サイズの小さい別のユニットバス１の窓枠取付け用壁部４に上記窓枠３をウォール・ツウ・ウォールとなるように取付けることができる。
【発明の効果】
【００１０】
本発明は、上記のように構成したので、サイズの小さい別のユニットバスの窓枠取付け用壁部にウォール・ツウ・ウォールとなるように取付けることができる窓枠を、サイズの大きいユニットバスの窓枠取付け用壁部に取付けて化粧カバーで覆うことで、ウォール・ツウ・ウォールとなるように取付けることができる。
【００１１】
また、請求項１においては、化粧カバー本体の外側端部に設けた係合部に連出カバー部の内側端部に設けた被係合部を着脱自在に係合するものであるから、連結カバー部を係合した状態ではサイズの大きいユニットバスの窓枠取付け用壁部に窓枠をウォール・ツウ・ウォールとなるように取付けることができ、連結カバー部を係合しない状態ではサイズの小さい別のユニットバスの窓枠取付け用壁部に上記窓枠をウォール・ツウ・ウォールとなるように取付けることができ、横巾の異なる複数種類の窓枠取付け用壁部に対して、一種類の窓枠、一種類の化粧カバーでウォール・ツウ・ウォールとなるように取付けることができ、コストダウンが図れる。
【００１２】
また、請求項２においては、化粧カバー本体の外側端部と連出カバー部の内側端部とを切断可能部を介して一体に形成してあるので、切断可能部で切断しない状態ではサイズの大きいユニットバスの窓枠取付け用壁部に窓枠をウォール・ツウ・ウォールとなるように取付けることができ、切断可能部で切断した状態ではサイズの小さい別のユニットバスの窓枠取付け用壁部に上記窓枠をウォール・ツウ・ウォールとなるように取付けることができ、横巾の異なる複数種類の窓枠取付け用壁部に対して、一種類の窓枠、一種類の化粧カバーでウォール・ツウ・ウォールとなるように取付けることができ、コストダウンが図れる。
【発明を実施するための最良の形態】
【００１３】
以下、本発明を添付図面に示す実施形態に基いて説明する。
【００１４】
ユニットバス１は床パン、壁パネル、天井パネル、浴槽を組み合わせて構成されるものである。壁パネルは複数使用され、壁パネルを連結することでユニットバス１の壁部を構成するようになっている。
【００１５】
ユニットバス１の壁部としては四方の壁部があり、このうち、対向する一対の対向壁部２の端部間に位置する壁部が窓枠取付け用壁部４となっている。対向壁部２を構成する壁パネルの端部と窓枠取付け用壁部４を構成する壁パネルの端部とはコーナ連結部材２０を介して連結してある。
【００１６】
図１、図４には、大きいサイズのユニットバス１の窓枠取付け用壁部４が示してあり、図２には小さいサイズのユニットバス１の窓枠取付け用壁部４が示してあり、図１の窓枠取付け用壁部４の横巾は図２の窓枠取付け用壁部４の横巾よりも長いものである。例えば、図２の窓枠取付け用壁部４の横巾が１６００ｍｍ、図１、図４の窓枠取付け用壁部４の横巾が１６５０ｍｍである。
【００１７】
上記図１、図４の横巾が長い窓枠取付け用壁部４、図２の横巾が短い窓枠取付け用壁部４には同じ寸法の窓枠取付け用開口部１２が形成してある。
【００１８】
窓枠取付け用開口部１２には窓枠３は嵌め込まれて取付けられるものである。つまり、窓枠３の前端部のフランジ部１３を窓枠取付け用開口部１２の周囲の窓枠取付け用壁部４の前面部に当接して固着具１４により取付けられる。フランジ部１３の前面部の両側には嵌め込み結合部１５が設けてある。
【００１９】
窓枠３は横巾が短い図２の窓枠取付け用壁部４の横巾と略等しいもので、図２の横巾の短い窓枠取付け用壁部４の窓枠取付け用開口部１２に窓枠３を嵌め込んで取付けた状態で、窓枠３の縦枠部６の外側端部が対向壁部２に近接して縦枠部６の外側端部が対向壁部２との間に窓枠取付け用壁部４が露出しないようになっている。
【００２０】
したがって、横巾の長い図１、図４の窓枠取付け用壁部４の窓枠取付け用開口部１２に窓枠３を嵌め込んで取付けた状態では、窓枠３の縦枠部６の外側端部と対向壁部２との間には窓枠取付け用壁部４の一部が位置することになる。
【００２１】
窓枠３の前面には化粧カバー５が取付けられる。
【００２２】
図３には化粧カバー５の一実施形態が示してあり、化粧カバー５のうち縦枠部６部分に取付ける化粧カバー５としては、縦枠部６の前面を覆う化粧カバー本体７と、該化粧カバー本体７の外側部から外側方に突出する連出カバー部８とで構成してある。化粧カバー本体７には背面部に被嵌め込み結合部１６が設けてある。
【００２３】
図３に示す実施形態においては、化粧カバー本体７と連出カバー部８とが別体であり、化粧カバー本体７の外側端部に設けた溝状をした係合部９に、連出カバー部８の内側端部に設けた突状をした被係合部１０を着脱自在に係合することで化粧カバー５を構成している。また、図３の実施形態では更に、溝状をした係合部９の溝内壁には鋸歯状をした凹凸が設けてあり、突状をした被係合部１０には鋸歯状をした凹凸が設けてあり、係合部９の鋸歯状をした凹凸と、被係合部１０の鋸歯状をした凹凸との噛み合い係合深さを調整することで、化粧カバー本体７に連出カバー部８を係合した状態における化粧カバー５の横巾を調整することが可能となっている。
【００２４】
そして、横巾の長い図１の窓枠取付け用壁部４の窓枠取付け用開口部１２に取付けた窓枠３の前面に化粧カバー５を取付ける際、縦枠部６部分に取付ける化粧カバー５としては、上記のように化粧カバー本体７の外側端部に設けた溝状をした係合部９に、連出カバー部８の内側端部に設けた突状をした被係合部１０を着脱自在に係合した状態で、化粧カバー本体７の背面部の被嵌め込み結合部１６を縦枠部６を構成するフランジ部１３の嵌め込み結合部１５に嵌め込み結合することで化粧カバー５を縦枠部６に取付ける。このようにして横巾の長い図１の窓枠取付け用壁部４の窓枠取付け用開口部１２に取付けた窓枠３の前面に、化粧カバー本体７に連出カバー部８を係合した化粧カバー５を取付けることで、連出カバー部８の外側端を対向壁部２に近接させ、窓枠３と対向壁部２との間に窓枠取付け用壁部４の表面が露出することなくウォール・ツウ・ウォールとなるように取付けることができる。
【００２５】
一方、横巾の短い図２の窓枠取付け用壁部４の窓枠取付け用開口部１２に取付けた窓枠３の前面に化粧カバー５を取付けるに当っては、化粧カバー本体７と連出カバー部８とを分離して化粧カバー本体７のみを使用するものであり、図２のように化粧カバー本体７の背面部の被嵌め込み結合部１６を縦枠部６を構成するフランジ部１３の嵌め込み結合部１５に嵌め込み結合し、化粧カバー本体７の外側端を対向壁部２に近接させ、窓枠３と対向壁部２との間に窓枠取付け用壁部４の表面が露出することなくウォール・ツウ・ウォールとなるように取付けることができる。
【００２６】
従って、本実施形態においては、横巾の異なる複数種類の窓枠取付け用壁部４に対して、一種類の窓枠３、一種類の化粧カバー５を用いて対向壁部２間にウォール・ツウ・ウォールとなるように取付けることができる。
【００２７】
図５には化粧カバー５の他の実施形態が示してある。前記実施形態においては、縦枠部６の前面を覆う背面部に被嵌め込み結合部１６を有する化粧カバー本体７と、連出カバー部８とが別体で、両者を係合することで化粧カバー５を構成した例を示したが、図５に示す実施形態においては、縦枠部６の前面を覆う化粧カバー本体７の外側端部と連出カバー部８の内側端部とを切断可能部１１を介して一体に連設して化粧カバー５を形成してある。切断可能部１１としては、例えば、図５のようにスリットを形成することで薄肉としたもので、薄肉部分が鋸、カッター等により切断可能となっている。図５の実施形態においては切断可能部１１に巾方向に複数のスリットを設けてあり、どのスリットに対応する薄肉部分で切断するかを選択することで、切断することで残される化粧カバー本体７の横巾を調整できる。
【００２８】
そして、横巾の長い図４の窓枠取付け用壁部４の窓枠取付け用開口部１２に取付けた窓枠３の前面に化粧カバー５を取付けるに当っては、縦枠部６に化粧カバー本体７と連出カバー部８とよりなる化粧カバー５を取付ける。このようにして横巾の長い図４の窓枠取付け用壁部４の窓枠取付け用開口部１２に取付けた窓枠３の前面に、化粧カバー本体７に連出カバー部８を一体に連続させた状態の化粧カバー５を取付けることで、連出カバー部８の外側端を対向壁部２に近接させ、窓枠３と対向壁部２との間に窓枠取付け用壁部４の表面が露出することなくウォール・ツウ・ウォールとなるように取付けることができる。
【００２９】
一方、横巾の短い図２の窓枠取付け用壁部４の窓枠取付け用開口部１２に取付けた窓枠３の前面に化粧カバー５を取付けるに当っては、切断可能部１１で切断することで化粧カバー本体７と連出カバー部８とを分離して化粧カバー本体７のみを使用するものであり、図２のように化粧カバー本体７の背面部の被嵌め込み結合部１６を縦枠部６を構成するフランジ部１３の嵌め込み結合部１５に嵌め込み結合し、化粧カバー本体７の外側端を対向壁部２に近接させ、窓枠３と対向壁部２との間に窓枠取付け用壁部４の表面が露出することなくウォール・ツウ・ウォールとなるように取付けることができる。
【図面の簡単な説明】
【００３０】
【図１】本発明の横巾の長い窓枠取付け用壁部に取付けた窓枠に化粧カバーを取付けた状態の断面図である。
【図２】同上の横巾の短い窓枠取付け用壁部に取付けた窓枠に化粧カバーを取付けた状態の断面図である。
【図３】（ａ）は同上に用いる化粧カバーの断面図であり、（ｂ）は分離した状態の断面図である。
【図４】本発明の他の実施形態において横巾の長い窓枠取付け用壁部に取付けた窓枠に化粧カバーを取付けた状態の断面図である。
【図５】同上に用いる化粧カバーの断面図である。
【符号の説明】
【００３１】
１  ユニットバス
２  対向壁部
３  窓枠
４  窓枠取付け用壁部
５  化粧カバー
６  縦枠部
７  化粧カバー本体
８  連出カバー部
９  係合部
１０  被係合部
１１  切断可能部
【図１】
2009203632.tif 000003
【図２】
2009203632.tif 000004
【図３】
2009203632.tif 000005
【図４】
2009203632.tif 000006
【図５】
2009203632.tif 000007